(57)【要約】【課題】防犯ブザーの機能を有する携帯電話機を容易に収納可能とすることで、短時間で携帯電話機を収納することができる携帯電話機用ケースを提供する。【解決手段】携帯電話機用ケース１０は、防犯ブザー機能を有する携帯電話機を収納する収納部２０と、背負う鞄の肩ベルトに装着される取付部３０と、収納部２０と取付部３０との間に配置され、収納部２０と取付部３０とを対向させる中間部４０とを備えている。この収納部２０には、中間部４０側に携帯電話機を挿入するための開口部２０ａが形成されており、中間部４０には、携帯電話機から延び、防犯ブザー機能を有効とする紐を通すための第１紐用穴４１が形成されている。そのため、携帯電話機を収納部２０に収納した後に、第１紐用穴４１から携帯電話機から延びる紐を通すことができる。【選択図】図１
0003224452.tif 000002
【実用新案登録請求の範囲】
【請求項１】
防犯ブザー機能を有する携帯電話機を収納する収納部と、背負う鞄の肩ベルトに装着される取付部と、前記収納部と前記取付部との間に配置され、前記収納部と前記取付部とを対向させる中間部とを備え、
前記収納部には、前記中間部側に前記携帯電話機を挿入するための開口部が形成され、
前記中間部には、前記携帯電話機から延び、防犯ブザー機能を有効とする紐を通すための紐用穴が形成された携帯電話機用ケース。
【請求項２】
前記取付部と前記収納部とには、吸着する磁石を備えた請求項１記載の携帯電話機用ケース。
【請求項３】
前記収納部の開口部とは反対側の底部にも、紐用穴が形成された請求項１または２記載の携帯電話機用ケース。
【請求項４】
前記収納部は、前記中間部に繋がる板状の基板部と、前記基板部に携帯電話機を収納する空間を確保するための袋状部とを備え、
前記収納部の底部に形成された紐用穴は、前記袋状部の前記基板部側まで切り欠かいた第１切欠部が形成され、前記基板部にも前記第１切欠部に連続する第２切欠部が形成された請求項３記載の携帯電話機用ケース。
【請求項５】
前記収納部を前記取付部に対向させたときに外側を向く裏面を覆う装飾部を備えた請求項１から４のいずれかの項に記載の携帯電話機用ケース。
【請求項６】
前記取付部には、前記収納部を前記取付部に対向させたときに折れ曲がる蓋部が形成され、
前記装飾部には、前記蓋部を押さえ付ける押さえ部が形成された請求項５記載の携帯電話機用ケース。
【考案の詳細な説明】
【技術分野】
【０００１】
本考案は、背負う鞄の肩ベルトに取り付けられ、防犯ブザー機能を有する携帯電話機が収納される携帯電話機用ケースに関するものである。
【背景技術】
【０００２】
携帯電話機には、ネットアクセス機能やデジタルカメラ機能、ＧＰＳ機能だけでなく、大音量で鳴動することで危険を周囲に報知したり、所有していることを周囲に認識させることで犯罪などを抑止したりする防犯ブザー（防犯ベル）などのような鳴動機能を備えたものが販売されている。
鳴動機能は、単体で販売されている防犯ブザーと同様に、携帯電話機の本体から延びる紐を引くことでブザー音を発する。
このような防犯ブザー機能を有する携帯電話機を収納する携帯電話機用ケースが、例えば、特許文献１などにより知られている。
【０００３】
特許文献１に記載のＧＰＳ、防犯ベル機能付き携帯電話を収納するケースは、本体にふたを設け、ふたは面ファスナーにて開閉でき、本体の裏面に固定用面ファスナー、固定用ゴムバンド、固定用紐を設け、本体の上部に二重環固定布、二重環、ナスカンを設け、本体下面に防犯ブザー紐用穴を設けたものである。
【先行技術文献】
【特許文献】
【０００４】
【特許文献１】特開２０１４−１１０８６９号公報
【考案の概要】
【考案が解決しようとする課題】
【０００５】
特許文献１に記載のＧＰＳ、防犯ベル機能付き携帯電話を収納するケースでは、本体下面に防犯ブザー紐用穴を設けている。従って、携帯電話機をこのケースに収納するときには、ケース上部から防犯ブザー用の紐をケース内に落とし、紐用穴に通して、携帯電話機を収納する。
【０００６】
しかし、紐の先端には、紐を引きやすいようにリングや円盤などが取っ手として取り付けられているため、防犯ブザー用紐をケース内に落とし、紐用穴に通すときに、取っ手が紐用穴から外れることがあり、取っ手を紐用穴に通し難い。そのため、紐を何度か上下に移動させながら、取っ手を紐用穴に通す操作を繰り返すことになり、携帯電話機を収納するのに時間を要してしまう。
【０００７】
そうなると、学校に通う児童が携帯電話機を携帯電話機用ケースに収納してランドセルに取り付けるときに時間を要してしまうので、通学の準備のための時間が少ない朝に携帯電話機の収納に時間が掛かると、家から出る時間が遅くなり、慌てて出掛けなければならなくなる。
【０００８】
そこで本考案は、防犯ブザーの機能を有する携帯電話機を容易に収納可能とすることで、短時間で携帯電話機を収納することができる携帯電話機用ケースを提供することを目的とする。
【課題を解決するための手段】
【０００９】
本考案の携帯電話機用ケースは、防犯ブザー機能を有する携帯電話機を収納する収納部と、背負う鞄の肩ベルトに装着される取付部と、前記収納部と前記取付部との間に配置され、前記収納部と前記取付部とを対向させる中間部とを備え、前記収納部には、前記中間部側に前記携帯電話機を挿入するための開口部が形成され、前記中間部には、前記携帯電話機から延び、防犯ブザー機能を有効とする紐を通すための紐用穴が形成されたことを特徴とするものである。
【００１０】
本考案の携帯電話機用ケースによれば、収納部の開口部から携帯電話機を収納すれば、携帯電話機から延びる紐が中間部の近くに位置するため、簡単に紐を中間部の紐用穴に通すことができる。
【００１１】
前記取付部と前記収納部とには、吸着する磁石を備えているため、取付部と収納部とを向かい合わせに接近させるだけで、取付部と収納部とを対向させた状態を維持することができる。
【００１２】
前記収納部の開口部とは反対側の底部にも、紐用穴が形成されたものとすることができる。携帯電話機を反対向きに収納部に収納する場合でも、収納部の底部に形成された紐用穴から携帯電話機の紐を通すことができる。
【００１３】
前記収納部は、前記中間部に繋がる板状の基板部と、前記基板部に携帯電話機を収納する空間を確保するための袋状部とを備え、前記収納部の底部に形成された紐用穴は、前記袋状部の前記基板部側まで切り欠かいた第１切欠部が形成され、前記基板部にも前記第１切欠部に連続する第２切欠部が形成されたものとすることができる。
携帯電話機の紐を収納部の底部に形成された第２紐用穴から通す場合でも、第２紐用穴が袋状部の第１切欠部だけでなく、基板部の第２切欠部によって大きく開いているため、紐を通しやすい。
【００１４】
前記収納部を前記取付部に対向させたときに外側を向く裏面を覆う装飾部を備えたものとすることができる。装飾部を付け替えることで、様々な模様やキャラクタなど楽しむことができる。
【００１５】
前記取付部には、前記収納部を前記取付部に対向させたときに折れ曲がる蓋部が形成され、前記装飾部には、前記蓋部を押さえ付ける押さえ部が形成されたものとすることができる。
収納部を前記取付部に対向させたときに、蓋部で収納部をカバーすると共に、押さえ部によってしっかりと蓋部を押さえることができる。
【考案の効果】
【００１６】
本考案の携帯電話機用ケースによれば、携帯電話機の紐を簡単に中間部の紐用穴に通すことができるので、防犯ブザーの機能を有する携帯電話機の収納が容易である。よって、本考案の携帯電話機用ケースは、短時間で携帯電話機を収納することができるので、朝の忙しいときでも、慌てず出掛ける準備を行うことができる。
【図面の簡単な説明】
【００１７】
【図１】本考案の実施の形態に係る携帯電話機用ケースを開いた状態の図であり、装飾部を外した状態の斜視図である。
【図２】図１に示す携帯電話機用ケースを閉じた状態の図であり、装飾部を収納部から剥がした状態の斜視図である。
【図３】図１に示す携帯電話機用ケースに携帯電話機を収納する状態を説明するための図であり、（Ａ）は収納部に携帯電話機の底部から挿入した状態の斜視図、（Ｂ）は中間部の紐用穴に携帯電話機の紐を通す状態の拡大図、（Ｃ）は収納部に携帯電話機を収納し、中間部の紐用穴に紐を通した状態の斜視図、（Ｄ）は、収納部を持ち上げた状態の斜視図、（Ｅ）は、収納部を取付部に対向させ、閉じた状態とした斜視図である。
【図４】図１に示す携帯電話機用ケースに携帯電話機を収納する状態を説明するための図であり、（Ａ）は収納部に携帯電話機の天面から挿入した状態の斜視図、（Ｂ）は中間部の紐用穴に携帯電話機の紐を通した状態の斜視図、（Ｃ）は中間部の紐用穴から紐が出た状態の拡大図、（Ｄ）は、収納部を持ち上げた状態の斜視図、（Ｅ）は、収納部を取付部に対向させ、閉じた状態とした斜視図である。
【考案を実施するための形態】
【００１８】
本考案の実施の形態に係る携帯電話機用ケースを図面に基づいて説明する。
図１および図２に示す携帯電話機用ケース１０は、防犯ブザー機能を有する携帯電話機を収納して、例えば、ランドセルなどの背負う鞄の肩ベルトに装着されるものである。
携帯電話機用ケース１０は、収納部２０と、取付部３０と、中間部４０と、装飾部５０とを備えている。
【００１９】
収納部２０は、中間部４０に繋がる基板部２１と、基板部２１に携帯電話機を収納する空間を確保するために設けられ、中間部４０側を開口部２０ａとする袋状部２２とを備えている。
基板部２１には、袋状部２２が形成された側とは反対となる裏面に、装飾部５０を装着するための面ファスナー２１ａが形成されている。
袋状部２２には、携帯電話機の表示画面を目視できるように、透明部材による窓部２２ａが形成されている。また、袋状部２２には、磁石２０ｂが配置されている。
【００２０】
取付部３０は、板状の本体部３１と、肩ベルトに巻き付けるためのベルト部３２と、補助ベルト部３４（図３参照）を取り付けるためのフック部３３とを備えている。
本体部３１の一端には、折り曲げられて収納部２０の底部を覆う蓋部３１ａが形成されている。本体部３１のおもて面３０ｍは、収納部２０を対向させたとき、携帯電話機の表示面に対向する面となる。本体部３１には、収納部２０の磁石２０ｂに吸着する磁石３０ａが配置されている。
【００２１】
ベルト部３２は、ベルト３２ａの中央部が裏面３０ｎに取り付けられ、ベルト３２ａの両端に面ファスナーが形成されている。
フック部３３は、金属製で、レバーの操作により閉鎖したり開放したりするものである。フック部３３には、細ベルトの両端に面ファスナーが形成された補助ベルト部３４（図３参照）が取り付けられる。
【００２２】
中間部４０は、収納部２０と取付部３０との間に配置され、収納部２０と取付部３０とのそれぞれの境界部分が折れ曲り、収納部２０と取付部３０とを対向させると共に、収納部２０の開口部２０ａを塞ぐものである。
中間部４０には、収納部２０に収納される携帯電話機から延びる紐を通すための第１紐用穴４１（紐用穴）が形成されている。本実施の形態では、第１紐用穴４１は角丸四角形に形成されている。
また、中間部４０には、装飾部５０を取り付けるねじＳのためのねじ穴４２が第１紐用穴４１の幅方向の両側に形成されている。
【００２３】
本実施の形態には、袋状部２２の底部２２ｂにも、携帯電話機から延びる紐を通すための第２紐用穴２３が形成されている。
この第２紐用穴２３は、袋状部２２の基板部２１側まで第１切欠部２２ｃにより大きく切り欠かれていると共に、基板部２１にも第１切欠部２２ｃに連続する第２切欠部２１ｂが形成されている。
【００２４】
装飾部５０は、基端部５１に形成されたねじ穴５１ａと、中間部４０のねじ穴４２とに嵌め込まれるねじＳにより、中間部４０に固定されている。また、装飾部５０の裏面５０ａに形成された面ファスナー５２が基板部２１に形成された面ファスナー２１ａに接着することで、装飾部５０は、基板部２１に固定されている。装飾部５０は、第１紐用穴４１と同じ位置に、同形状の穴５０ｂが形成されている。装飾部５０のおもて面５０ｃには、絵や模様、キャラクタ、マークなどの装飾が施されている。
【００２５】
装飾部５０は、長さが中間部４０と収納部２０の基板部２１とを合わせた長さより、袋状部２２の厚み分長く形成されている。基端部５１のねじ穴５１ａにねじを嵌め込むことにより中間部４０に固定されると、この袋状部２２の厚み分長く形成された部分が収納部２０よりはみ出る。このはみ出た部分が折り曲げられことで、取付部３０の蓋部３１ａを押さえ付ける押さえ部５３として機能する。押さえ部５３には蓋部３１ａに接着する面ファスナー５３ａが形成されている。
【００２６】
以上のように構成された本考案の実施の形態に係る携帯電話機用ケース１０の使用状態について図面に基づいて説明する。
なお、図１に示す携帯電話機用ケース１０は、取付部３０を鞄の肩ベルトに取り付けた状態でも、手に持った状態でもよい。また、図３（Ａ）に示す補助ベルト部３４は肩ベルトに取り付けた状態でも取り付ける前の状態でもよい。
【００２７】
図３（Ａ）に示すように、まず、取付部３０を収納部２０に対して開いた状態（延ばした状態）とする。そうすると、取付部３０の板状の本体部３１と、中間部４０と、収納部２０の基板部２１とがほぼ一列に並ぶ。次に、携帯電話機Ｋの底部を収納部２０の開口部２０ａから挿入する。
【００２８】
図３（Ｂ）および同図（Ｃ）に示すように、携帯電話機Ｋを収納部２０に収納すると、次に、携帯電話機Ｋの本体の天面から延びる、防犯ブザー機能を作動させるための紐Ｈを中間部４０に形成された第１紐用穴４１に通す。
携帯電話機Ｋが収納部２０に収納されると、第１紐用穴４１は収納部２０に隣接した中間部４０に形成されているため、携帯電話機Ｋの本体から延びる紐Ｈは第１紐用穴４１のすぐ近くに位置する。
【００２９】
従って、紐Ｈを簡単に第１紐用穴４１に通すことができる。また、紐Ｈの先端に取っ手Ｔが付いていても、使用者が取っ手Ｔを持って第１紐用穴４１に通すことができるため、取っ手Ｔを第１紐用穴４１に通すことも容易である。
【００３０】
そして、図３（Ｄ）に示すように、取付部３０に重ねるように、収納部２０を持ち上げ、移動させる。そして、図３（Ｅ）に示すように、収納部２０が取付部３０に向かって移動することで、図１に示す収納部２０の磁石２０ｂと、取付部３０の磁石３０ａとが接近して吸着する。そうすることで、収納部２０と取付部３０とが重なり合った状態を維持することができる。
また、取付部３０の蓋部３１ａを袋状部２２側に折り曲げ、押さえ部５３を折り曲げ、蓋部３１ａの面ファスナーに押さえ部５３の面ファスナー５３ａ（図１参照）を接着することで、鞄を背負った状態で移動できる状態となる。また、携帯電話機用ケース１０が鞄に取り付けられていなければ、鞄の肩ベルトに装着できる状態となる。
【００３１】
このように防犯ブザーの機能を有する携帯電話機Ｋの収納が容易なので、使用者が小学生などの児童で、朝食の準備に忙しい親が、児童の代わりにランドセルに携帯電話機用ケース１０を装着する場合でも、慌てることなく、携帯電話機Ｋを収納した携帯電話機用ケース１０をランドセルに装着することができる。
【００３２】
収納部２０と取付部３０とには、吸着する磁石２０ｂ，３０ａを備えているため、収納部２０を取付部３０に接近させるだけで、収納部２０を取付部３０に重ね合わせることができる。
また、収納部２０を取付部３０に対向させたときに、蓋部３１ａで収納部２０をカバーすると共に、押さえ部５３によってしっかりと蓋部３１ａを押さえることができる。
【００３３】
図３（Ａ）に示す例では、スマートフォンである携帯電話機Ｋは、紐Ｈが携帯電話機Ｋの本体の天面から延びているため、収納部２０に挿入した状態で、携帯電話機Ｋの表示部に表示される文字が正位置であり、図３（Ｄ）に示すように、収納部２０を持ち上げた状態では、携帯電話機Ｋは反転するため、文字は逆位置となる。
【００３４】
そのため、収納部２０を持ち上げた状態で、携帯電話機Ｋの表示部に表示される文字を正位置となるようにすることができる。
まず、図４（Ａ）に示すように、携帯電話機Ｋの天面を収納部２０の開口部２０ａから挿入する。図４（Ｂ）に示すように、取っ手Ｔを第２紐用穴２３に通す。
図４（Ｃ）に示すように、第２紐用穴２３は、袋状部２２の基板部２１側まで第１切欠部２２ｃにより大きく切り欠かれている。従って、取っ手Ｔを第２紐用穴２３に通しやすくすることができる。また、基板部２１にも第１切欠部２２ｃに連続する第２切欠部２１ｂが形成されているので、装飾部５０が収納部２０の基板部２１から離れた状態であれば、取っ手Ｔを第２切欠部２１ｂから出すことができる。
【００３５】
従って、収納部２０の底部に形成された第２紐用穴２３であっても、取っ手Ｔを第２紐用穴２３に通し、取っ手Ｔを引けば、紐Ｈを第２紐用穴２３に通すことができ、携帯電話機Ｋを簡単に収納部２０に収納させることができる。
【００３６】
携帯電話機Ｋが収納部２０に収納されると、図４（Ｄ）に示すように、取付部３０に重ねるように、収納部２０を持ち上げ、移動させる。そして、図４（Ｅ）に示すように、収納部２０が取付部３０に向かって移動することで、図１に示す収納部２０の磁石２０ｂと、取付部３０の磁石３０ａとが接近して吸着する。そうすることで、収納部２０と取付部３０とが重なり合った状態を維持することができる。
【００３７】
図４（Ｅ）に示すように、収納部２０を持ち上げた状態では、携帯電話機Ｋの表示部に表示される文字が正位置となるため、肩ベルトに携帯電話機用ケース１０を装着したままで、携帯電話機Ｋ（図４（Ｂ）参照）に表示された文字を読むことができる。
【００３８】
このように第１紐用穴４１と第２紐用穴２３とが形成されているため、携帯電話機Ｋをいずれの方向からも収納部２０に収納することができる。
【００３９】
また、装飾部５０は、中間部４０のねじＳにより取り付けられるので、装飾部５０のおもて面５０ｃに施された様々な絵や模様、キャラクタ、マークなど、装飾部５０を付け替えることで、装飾を楽しむことができる。
【産業上の利用可能性】
【００４０】
本考案の携帯電話機用ケースは、携帯電話機がスマートフォンだけなく、ガラケーと称される折り曲げ式の携帯電話機に防犯ブザー機能を付けたものであっても採用することができる。
【符号の説明】
【００４１】
１０  携帯電話機用ケース
２０  収納部
２０ａ  開口部
２０ｂ  磁石
２１  基板部
２１ａ  面ファスナー
２１ｂ  第２切欠部
２２  袋状部
２２ａ  窓部
２２ｂ  底部
２２ｃ  第１切欠部
２３  第２紐用穴
３０  取付部
３０ａ  磁石
３０ｍ  おもて面
３２ａ  ベルト
３０ｎ  裏面
３１  本体部
３１ａ  蓋部
３２  ベルト部
３３  フック部
３４  補助ベルト部
４０  中間部
４１  第１紐用穴
４２  ねじ穴
５０  装飾部
５０ａ  裏面
５０ｂ  穴
５０ｃ  おもて面
５１  基端部
５１ａ  ねじ穴
５２  面ファスナー
５３  押さえ部
５３ａ  面ファスナー
Ｓ  ねじ
Ｋ  携帯電話機
Ｈ  紐
Ｔ  取っ手
【図１】
0003224452.tif 000003
【図２】
0003224452.tif 000004
【図３】
0003224452.tif 000005
【図４】
0003224452.tif 000006